(57)【要約】      （修正有）【課題】医療用または介護用として好適なローブを提供する。【解決手段】ローブ本体２０と、ローブ本体の第１の主面に装着される着脱可能な平面状パッド３０とを有する巻きローブ１０であって、ローブ本体はそれぞれ対向する上辺２１Ａおよび下辺２１Ｂならびに第１の側辺２１Ｃおよび第２の側辺２１Ｄを有し、第１の主面には、上辺に第１の側辺から帯状に伸びる第１固着部２２を設け、第１の主面の反対側となる第２の主面には、上辺に第２の側辺から帯状に伸びる第２固着部２３を設け、平面状パッドのうち、ローブ本体と対向する面に、着用時に着脱可能に固着される固着部材３２を設け、着用時に、平面状パッドがローブ本体に着脱可能に取り付けられ、および第１固着部と第２固着部の少なくとも一部が対向して着脱可能に固着して、ローブ本体は重なり部を含んで略筒状を形成することができるように構成した。【選択図】図１
0003227502.tif 000002
【実用新案登録請求の範囲】
【請求項１】
ローブ本体と、前記ローブ本体の第１の主面に装着される着脱可能な平面状パッドとを有する巻きローブであって、
前記ローブ本体はそれぞれ対向する上辺および下辺ならびに第１の側辺および第２の側辺を有し、前記第１の主面には、前記上辺に前記第１の側辺から帯状に伸びる第１固着部を設け、前記第１の主面の反対側となる第２の主面には、前記上辺に前記第２の側辺から帯状に伸びる第２固着部を設け、
前記平面状パッドのうち、前記ローブ本体と対向する面に、着用時に着脱可能に固着される固着部材を設け、
着用時に、前記平面状パッドが前記ローブ本体に着脱可能に取り付けられ、および前記第１固着部と前記第２固着部の少なくとも一部が対向して着脱可能に固着して、前記ローブ本体は重なり部を含んで略筒状を形成することができるように構成したことを特徴とする巻きローブ。
【請求項２】
前記固着部材は、前記平面状パッドのうち、前記ローブ本体と対向する面の上辺に、前記ローブ本体の上辺とほぼ平行に配設されたことを特徴とする請求項１に記載の巻きローブ。
【請求項３】
前記固着部材は、前記平面状パッドのうち、前記ローブ本体と対向する面の第１の側辺および第２の側辺の一部分にさらに配設されたことを特徴とする請求項２に記載の巻きローブ。
【請求項４】
前記固着部材は、両面接着テープであることを特徴とする請求項２または３に記載の巻きローブ。
【請求項５】
前記固着部材は、前記平面状パッドの前記面に塗布されたアクリル系粘着剤、シリコーン系粘着剤またはゴム系粘着剤から選択された粘着剤であることを特徴とする請求項２または３に記載の巻きローブ。
【請求項６】
前記巻きローブは、前記ローブ本体の前記第１および第２の側辺に設けられた少なくとも一組の第１および第２のひも状固定部材をさらに備え、前記着用時に、前記第１の側辺に設けられた第１のひも状固定部材が、前記第２の主面に備えられた第２のひも状固定部材と結合するように構成したことを特徴とする請求項１〜５のいずれか一項に記載の巻きローブ。
【請求項７】
前記平面状パッドは、吸収性材料で構成されたことを特徴とする請求項１〜６のいずれか一項に記載の巻きローブ。
【請求項８】
前記第１固着部および第２固着部を面ファスナーで構成したことを特徴とする請求項１〜７のいずれか一項に記載の巻きローブ。
【請求項９】
請求項１に記載の巻きローブにおいて用いられる平面状パッドであって、
前記ローブ本体はそれぞれ対向する上辺および下辺ならびに第１の側辺および第２の側辺を有し、前記第１の主面には、前記上辺に前記第１の側辺から帯状に伸びる第１固着部を設け、前記第１の主面の反対側となる第２の主面には、前記上辺に前記第２の側辺から帯状に伸びる第２固着部を設け、
前記平面状パッドのうち、前記ローブ本体と対向する面に、着用時に着脱可能に固着される固着部材を設け、
着用時に、前記平面状パッドが前記ローブ本体に着脱可能に取り付けられ、および前記第１固着部と前記第２固着部の少なくとも一部が対向して着脱可能に固着して、前記ローブ本体は重なり部を含んで略筒状を形成することができるように構成したことを特徴とする巻きローブ用の平面状パッド。
【請求項１０】
請求項９に記載の巻きローブ用の平面状パッドにおいて、前記固着部材は、前記平面状パッドのうち、前記ローブ本体と対向する面の上辺に、前記ローブ本体の上辺とほぼ平行に配設されたことを特徴とする巻きローブ用の平面状パッド。
【請求項１１】
請求項１０に記載の巻きローブ用の平面状パッドにおいて、前記固着部材は、前記平面状パッドのうち、前記ローブ本体と対向する面の第１の側辺および第２の側辺の一部分にさらに配設されたことを特徴とする巻きローブ用の平面状パッド。
【請求項１２】
請求項９〜１１のいずれか一項に記載の巻きローブ用の平面状パッドにおいて、前記固着部材は、両面接着テープであることを特徴とする巻きローブ用の平面状パッド。
【請求項１３】
請求項９〜１１のいずれか一項に記載の巻きローブ用の平面状パッドにおいて、前記固着部材は、前記平面状パッドの前記面に塗布されたアクリル系粘着剤、シリコーン系粘着剤またはゴム系粘着剤から選択された粘着剤であることを特徴とする巻きローブ用の平面状パッド。
【請求項１４】
請求項９〜１３のいずれか一項に記載の巻きローブ用の平面状パッドにおいて、前記平面状パッドは、吸収性材料で構成されたことを特徴とする巻きローブ用の平面状パッド。
【考案の詳細な説明】
【技術分野】
【０００１】
本考案は、医療又は介護の現場において使用する際などにおいて、おむつ交換を容易化し、医療又は介護用として好適な寝巻きローブなどの巻きローブに関する。
【背景技術】
【０００２】
病人や老齢者等の寝たきりの被介護者のおむつを交換する際、着用しているパジャマを脱がして交換しているが、その際、ベッドやシーツに汚物が付着しないように細心の注意を払って交換作業を行わなければならず、介護者の作業の負担となっていた。
【０００３】
このような課題に対し、寝たきりの老人などの被介護者に適した介護用品が種々提案されている。例えば特許文献１は、タオル生地と防水シートを張り合わせて外周縁部の複数箇所に取っ手を付けた防水タオルシーツを提案している。このような防水タオルシーツは、被介護者のおむつから漏れ出た便や尿が下方の敷布団やマットレスを汚すことを防止することができると共に、介護者は前記取っ手を使用することにより容易に被介護者の身体の移動や向き変えを行うことができるなどのメリットを有するものとされている。
【０００４】
また、特許文献２では、パジャマの替わりに、表地と裏地の間に防水性シートを挟持させた下半身衣を含む二部式のねまきを提案している。
【先行技術文献】
【特許文献】
【０００５】
【特許文献１】実用新案登録第３０７３８６２号明細書
【特許文献２】実開昭５９−１７７１２号明細書
【考案の概要】
【考案が解決しようとする課題】
【０００６】
しかしながら、これら先行技術が提案する介護用品は、ベッドやシーツの汚物の付着は防止するものの、それら自身が汚れた場合には汚物を吸収した物品を洗濯する必要がある。また、素材にタオルや布を用いているため、十分な吸水性を有さないおそれがある。
【０００７】
これらの事情に鑑み、本考案は、被介護者のおむつ交換の際にベッドやシーツへの汚物の付着を防止しつつ、たとえ本品が汚れたとしても、容易に交換ができ、利用者の衛生状態を保つことができ、しかも利用者が快適に感じることができる医療用または介護用として好適な巻きローブを提供するものである。
【課題を解決するための手段】
【０００８】
本考案の一実施形態は、ローブ本体と、前記ローブ本体の第１の主面に装着される着脱可能な平面状パッドとを有する巻きローブであって、
前記ローブ本体はそれぞれ対向する上辺および下辺ならびに第１の側辺および第２の側辺を有し、前記第１の主面には、前記上辺に前記第１の側辺から帯状に伸びる第１固着部を設け、前記第１の主面の反対側となる第２の主面には、前記上辺に前記第２の側辺から帯状に伸びる第２固着部を設け、
前記平面状パッドのうち、前記ローブ本体と対向する面に、着用時に着脱可能に固着される固着部材を設け、
着用時に、前記平面状パッドが前記ローブ本体に着脱可能に取り付けられ、および前記第１固着部と前記第２固着部の少なくとも一部が対向して着脱可能に固着して、前記ローブ本体は重なり部を含んで略筒状を形成することができるように構成したことを特徴とする巻きローブに関する。
【０００９】
本考案の他の実施形態は、上記巻きローブにおいて用いられる平面状パッドであって、
前記ローブ本体はそれぞれ対向する上辺および下辺ならびに第１の側辺および第２の側辺を有し、前記第１の主面には、前記上辺に前記第１の側辺から帯状に伸びる第１固着部を設け、前記第１の主面の反対側となる第２の主面には、前記上辺に前記第２の側辺から帯状に伸びる第２固着部を設け、
前記平面状パッドのうち、前記ローブ本体と対向する面に、着用時に着脱可能に固着される固着部材を設け、
着用時に、前記平面状パッドが前記ローブ本体に着脱可能に取り付けられ、および前記第１固着部と前記第２固着部の少なくとも一部が対向して着脱可能に固着して、前記ローブ本体は重なり部を含んで略筒状を形成することができるように構成したことを特徴とする巻きローブ用の平面状パッドに関する。
【図面の簡単な説明】
【００１０】
【図１】（Ａ）は本考案の一実施形態のローブの全体図であり、（Ｂ）は当該ローブの着用時の模式図である。
【図２】（Ａ）は図１のローブのローブ本体の正面図であり、（Ｂ）はその裏面図である。
【図３】（Ａ）は本考案の一実施形態における平面状パッドの正面図であり、（Ｂ）はその裏面図であり、（Ｃ）はその断面図である。
【図４】（Ａ）は本考案の第２の実施形態における平面状パッドの正面図であり、（Ｂ）はその裏面図である。
【図５】（Ａ）は本考案の第３の実施形態における平面状パッドの正面図であり、（Ｂ）はその裏面図である。
【図６】本考案の一実施形態における平面状パッドの廃棄方法を示す模式図である。（Ａ）はローブから取り外された平面状パッドを表す模式図であり、（Ｂ）は（Ａ）のパッドを折線に沿って折ったものを表す模式図であり、（Ｃ）は（Ｂ）のパッドを折線に沿ってさらに折ったものを表す模式図である。
【図７】本考案の他の実施形態における平面状パッドの廃棄方法を示す模式図である。（Ａ）はローブから取り外され、廃棄するおむつを載せた平面状パッドを表す模式図であり、（Ｂ）は（Ａ）のパッドを折線に沿って折ったものを表す模式図であり、（Ｃ）は（Ｂ）のパッドを折線に沿ってさらに折ったものを表す模式図である。
【図８】本考案の他の実施形態における平面状パッドの廃棄方法を示す模式図である。（Ａ）はローブから取り外され、廃棄するおむつを載せた平面状パッドを表す模式図であり、（Ｂ）は（Ａ）のパッドを折線に沿って折ったものを表す模式図であり、（Ｃ）は（Ｂ）のパッドを折線に沿ってさらに折ったものを表す模式図である。
【考案を実施するための形態】
【００１１】
本考案の一実施態様について、図を参照にしながら詳細に説明する。
【００１２】
本考案の一実施形態において、巻きローブ１０は、巻きローブ本体２０と前記巻きローブ本体２０の第１の主面２６に着脱可能に装着される平面状パッド３０とを有する（図１（Ａ）参照）。巻きローブ１０は、平面状パッド３０が着用者に接するように設置され、図１（Ｂ）のように、着用時には、着用者の下半身を、いわゆる腰巻のように、巻きローブ１０で巻き込み、全体として略筒状となる。 
【００１３】
（巻きローブ本体）
本考案の一実施形態において、図２に示すように、巻きローブ本体２０は、それぞれ対向する上辺２０Ａおよび下辺２０Ｂならびに第１の側辺２０Ｃおよび第２の側辺２０Ｄを有するローブ本体部２１と、平面状パッド３０が装着される第１の主面２６とその反対側に位置する第２の主面２７とを有する。好ましくは、ローブ本体部２１は略矩形状である。巻きローブ本体２０は、ローブ本体部２１の第１の主面２６の上辺２０Ａに第１の側辺２０Ｃから帯状に伸びる第１固着部２２を備え、第２の主面２７の上辺２０Ａに第２の側辺２０Ｄから帯状に伸びる第２固着部２３を備える。すなわち、巻きローブ１０の巻回時、第１固着部２２と対向する上辺２０Ａに、第２の側辺２０Ｄから帯状に伸びる第２固着部２３が設けられている。
【００１４】
第１固着部２２および第２固着部２３は、巻きローブ１０の着用時に少なくともその一部が対向して接触し、重なり部を含んで略筒状となった巻きローブ１０を着脱可能に固着する。第１固着部２２および第２固着部２３は互いに着脱可能に固着できるものであればよく、例えば両面接着テープや面ファスナーなどを用いることができる。あるいは、これら固着部２２および２３の位置に、巻きローブ本体２０に対して、粘着剤を塗布することでこれら固着部を形成してもよい。粘着剤として、アクリル系粘着剤、シリコーン系粘着剤、ゴム系粘着剤などを用いることができる。
【００１５】
第１固着部２２および第２固着部２３は、それぞれ側辺から帯状に延び、好ましくは第２固着部２３は第１固着部２２よりも長い。第２固着部２３を第１固着部２２よりも長くすることにより、第１固着部２２は第２固着部２３の任意所望の位置に着脱可能に固着することができ、着用者の各々のサイズに合わせて固着箇所を調整することができる。第１固着部２２および第２固着部２３は連続的に設けられてもよく、また不連続に設けられてもよい。
【００１６】
巻きローブ本体２０は、少なくとも一組のひも状固定具２４をさらに備えてもよい。ひも状固定具２４を構成する第１のひも状固定具２４Ａをローブ本体部２１の第１の側辺２０Ｃに設け、およびひも状固定具２４を構成する第２のひも状固定具２４Ｂをローブ本体部２１の第２の側辺２０Ｄから上辺２０Ａの長さの１／４〜１／３ほど内側に、対応するひも状固定具２４Ａと同じ高さになるよう第２の主面２７上に設ける。ローブ着用時に、第１のひも状固定具２４Ａを第２の面２７に設けた第２のひも状固定具２４Ｂと結ぶことにより、略筒状の巻きローブ１０を固定する。ひも状固定具２４により、着用者のサイズに関わらずローブの形状を固定することができ、ローブ着用時のめくれを防止し、ローブのずれをさらに防止することができる。なお、このひも状固定具２４は一組でもよいが、複数組あれば、上記のめくれやずれがより抑えられる。
【００１７】
また、ひも状固定具２４はひもを用いて構成する代わりに、両面接着テープやそれに代わる接着剤、面ファスナーなどの固定具を用いて構成することもできる。
【００１８】
巻きローブ本体２０は、綿や化繊からなる織布または不織布から構成され、第１の主面２６もしくは第２の主面２７のいずれかまたはその両方に防水加工または防水シートの貼付が行われていてもよい。また、後述する平面状パッド３０が装着される部分に、平面状パッド３０の着脱を容易にするコーティング加工を施してもよい。
【００１９】
（平面状パッド）
本考案の一実施形態において、図３に示すように、平面状パッド３０は、それぞれ対向する上辺３１Ａおよび下辺３１Ｂならびに第１の側辺３１Ｃおよび第２の側辺３１Ｄを有する。平面状パッドは好ましくは略矩形状を有するが、着用者の臀部およびその周辺部からの汚物の漏れを防止するものであれば任意の形状を有することができる。巻きローブ本体２０の第１の主面２６に着脱可能に装着される吸収性部材によるパッド本体３１と、そのパッド本体３１のうち、たとえば、巻きローブ本体２０と対向する面の上辺３１Ａに、巻きローブ本体２０の上辺２０Ａとほぼ平行に塗布された固着部材３２とを有する。固着部材３２には、例えば、アクリル系粘着剤、シリコーン系粘着剤、ゴム系粘着剤などの粘着剤を用いることができる。あるいはまた、固着部材３２は両面接着テープを巻きローブ本体２０と対向する面の上辺３１Ａに固着して構成することもできる。
【００２０】
平面状パッド３０は、図３（Ｃ）に示すように、液透過性の表面シート３０Ａと液不透過性の裏面シート３０Ｂと当該表面シート３０Ａと当該裏面シート３０Ｂとの間の吸収体層３０Ｃとを有する。他の実施形態において、平面状パッド３０は、消臭剤や芳香剤など、吸収性に影響のないものであれば、任意の機能性物質を含む層３０Ｄを含んでもよい。
【００２１】
平面状パッド３０は、巻きローブ本体２０の第１の主面２６に固着部材３２を介して着脱可能に固着される。本考案の一実施形態において、固着部材３２は、巻きローブ本体２０と対向する面の上辺３２Ａに、巻きローブ本体２０の上辺２０Ａとほぼ平行に塗布される（図３（Ａ）および（Ｂ）参照）。本考案の第２の実施形態において、固着部材３２は、巻きローブ本体２０と対向する面の上辺３１Ａに、巻きローブ本体２０の上辺２０Ａと平行に塗布されるほか、巻きローブ本体２０と対向する面の第１の側辺３１Ｃおよび第２の側辺３１Ｄの一部にまでさらに塗布されてもよい（図４（Ａ）および（Ｂ）参照）。第１の側辺および第２の側辺３１Ｃおよび３１Ｄに塗布される部分は、上辺３１Ａに塗布された部分と連続して塗布されてもよい（図４（Ａ）および図４（Ｂ）参照）。または、第１の側辺および第２の側辺３１Ｃおよび３１Ｄに、上辺３１Ａに塗布された固着部材３２Ａと不連続に塗布された固着部材３２Ｂを形成してもよい（図５（Ａ）および図５（Ｂ））。当該第１の側辺および第２の側辺３１Ｃおよび３１Ｄのうち、連続に塗布される部分は、上辺３２から側辺の長さの１／３までの領域としてもよい。
【００２２】
平面状パッド３０は、巻きローブ１０に装着されるまでの間、当該固着部材３２を剥離材（不図示）で保護してもよい。この剥離材は１または複数のシートの形態で構成できる。あるいはまた、複数のシートを固着部材３２に離散的に配置することより固着部材３２を保護することもできる。この場合、平面状パッド３０を段階的に装着できるので、その装着作業がやりやすくなり、好ましい。例えば、固着部材３２の右側半分と左側半分とをそれぞれ異なる剥離材で保護することにより、どちらか一方を装着したのちに他方の剥離材を剥がして、もう半分の部分を固着することができ、より短時間にかつ正確に装着することができる。
【００２３】
（巻きローブの使用方法）
本考案の巻きローブ１０は、ローブ本体部２１に着脱可能に取り付けた平面状パッド３０を着用者に対向するように配設し、着用者の腰部に合わせて第１固着部２２および第２固着部２３を接合して、固着する。巻きローブ１０は、おむつをした着用者の下半身に巻き付けるように着用される。着用時には、着用者の下半身を巻きローブ１０で巻き込むことにより、巻きローブ１０は略筒状となり、いわゆる腰巻（下半身用巻きローブ）の形態になる。巻きローブ本体２０に取り付けてあるひも状固定具２４を結ぶことにより、巻きローブ本体２０をさらに確実にほぼ筒状に固定することができる。巻きローブ１０は寝巻きとして使用することができる。
【００２４】
平面状パッド３０は、着用時に着用者の臀部が位置するように、ローブ本体部２１の第１の主面２６上に装着されることが好ましい。それより、ベッドやシーツへのおむつ交換時の汚物の付着を防止するとともに、おむつからの汚物の漏れがシーツ等に広がらないように吸収することができる。
【００２５】
本考案の一実施態様において、平面状パッド３０は、おむつ交換等により汚れが付着したり、あるいは吸収された場合には、新しい平面状パッド３０と容易に取り換えることができる。加えて、使用後の平面状パッド３０は、図６のように折りたたむことで、固着部材３２は折りたたんだパッド３０を固定し、汚染面を露出することなく、廃棄することができる。その際、平面状パッド３０の第１の側辺３１Ｃおよび第２の側辺３１Ｄの一部にも固着部材３２を塗布した場合には、固着部材３２は折りたたんだパッド３０をさらに強力に固定することができる。
【００２６】
また、平面状パッド３０は使用済みのおむつ４０を中に包み、一緒に廃棄することもできる。図７および図８は、使用済みおむつとともに折りたたみ、廃棄される平面状パッド３０の実施態様を示したものである。図７および／または図８のように折りたたむことで、固着部材３２が折りたたんだパッド３０を固定し、使用済みおむつおよび汚染面を露出することなく、廃棄することができる。
【００２７】
本実用新案登録請求の範囲の記載は明細書に記載の事項すべてを参酌して理解される。上述した実施態様においても本発明の概念に包含されるあらゆる変更や修正が記載した事項以外に可能である。
【符号の説明】
【００２８】
１０    巻きローブ
２０    巻きローブ本体
２０Ａ  巻きローブ本体上辺
２０Ｂ  巻きローブ本体下辺
２０Ｃ  巻きローブ本体第１の側辺
２０Ｄ  巻きローブ本体第２の側辺
２１    ローブ本体部      
２２    第１固着部
２３    第２固着部
２４    ひも状固定具
２４Ａ  第１のひも状固定具
２４Ｂ  第２のひも状固定具
２６    第１の主面
２７    第２の主面
３０    パッド
３０Ａ  表面シート
３０Ｂ  裏面シート
３０Ｃ  吸収体
３１    パッド本体
３１Ａ  パッド上辺
３１Ｂ  パッド下辺
３１Ｃ  パッド第１の側辺
３１Ｄ  パッド第２の側辺
３２    固着部材
３２Ａ  固着部材
３２Ｂ  固着部材
４０    おむつ
【図１】
0003227502.tif 000003
【図２】
0003227502.tif 000004
【図３】
0003227502.tif 000005
【図４】
0003227502.tif 000006
【図５】
0003227502.tif 000007
【図６】
0003227502.tif 000008
【図７】
0003227502.tif 000009
【図８】
0003227502.tif 000010